(57)【特許請求の範囲】
【請求項１】
搬送通路を通過するシートの第１面の画像を読み取る第１画像読取手段と、
前記第１画像読取手段と前記搬送通路を挟んで設けられ、シートの第１面とは逆の第２面の画像を読み取る第２画像読取手段と、
導電性材料によるコート処理が施され、前記搬送通路を通過するシートをガイドするガイド面を有し、前記第１画像読取手段と前記搬送通路を通過するシートの第１面との間に介在するように前記搬送通路に沿って配置された第１透明ガイド部材と、
導電性材料によるコート処理が施され、前記搬送通路を通過するシートをガイドするガイド面を有し、前記第２画像読取手段と前記搬送通路を通過するシートの第２面との間に介在するように前記搬送通路に沿って、かつ前記搬送通路を挟んで前記第１透明ガイド部材に対向するように配置された第２透明ガイド部材と、
前記第１透明ガイド部材に設けられ、前記第１透明ガイド部材を接地させる接地手段と、
前記第１透明ガイド部材及び前記第２透明ガイド部材の一方に設けられ、前記第１透明ガイド部材及び前記第２透明ガイド部材の他方に当接して前記第１透明ガイド部材及び前記第２透明ガイド部材を導通させる導通手段であって、前記搬送通路を搬送されるシートのシート搬送方向に直交する幅方向に関して、シートが通過する領域の外側で前記第１透明ガイド部材及び前記第２透明ガイド部材の他方に当接するように配置された導通手段と、を備え、
前記第２透明ガイド部材は、前記導通手段、前記第１透明ガイド部材及び前記接地手段を介して接地されることを特徴とする画像読取装置。
【請求項２】
前記接地手段は、前記第１透明ガイド部材のガイド面と導通されていることを特徴とする請求項１記載の画像読取装置。
【請求項３】
前記導通手段は、弾性部材と、前記弾性部材の表面に設けられた導電性を有するフィルムとを有することを特徴とする請求項１又は２に記載の画像読取装置。
【請求項４】
前記導通手段は導電性を有するシート状部材であることを特徴とする請求項１又は２に記載の画像読取装置。
【請求項５】
前記導通手段は導電性を有する弾性部材であることを特徴とする請求項１又は２に記載の画像読取装置。
【請求項６】
前記導通手段により、前記第１透明ガイド部材及び前記第２透明ガイド部材の間隔はシートの通過が可能な間隔に保たれることを特徴とする請求項１乃至５の何れか１項に記載の画像読取装置。
【請求項７】
前記導通手段は、前記幅方向において、前記第１画像読取手段及び前記第２画像読取手段が搬送されるシートの画像を読み取ることが可能な画像読取領域の外側に設けられていることを特徴とする請求項１乃至６の何れか１項に記載の画像読取装置。
【請求項８】
前記搬送通路を介してシートを搬送するシート搬送装置をさらに備え、
前記シート搬送方向に搬送されるシートが通過する前記領域の、前記幅方向における長さが、前記シート搬送装置が搬送可能なシートの前記幅方向における最大サイズより大きいことを特徴とする請求項１乃至７の何れか１項に記載の画像読取装置。
【請求項９】
画像読取装置本体と、
前記画像読取装置本体に開閉可能に設けられ、シートを搬送するシート搬送装置と、を備え、
前記画像読取装置本体に前記第１透明ガイド部材及び前記第１画像読取手段が配置され、前記シート搬送装置に前記第２透明ガイド部材及び前記第２画像読取手段が配置されたことを特徴とする請求項１乃至７の何れか１項に記載の画像読取装置。
【請求項１０】
前記シート搬送装置を前記画像読取装置本体に対して開閉可能に支持するヒンジ部を備え、
前記画像読取装置本体に配置された前記第１透明ガイド部材は、前記ヒンジ部を介して接地されることを特徴とする請求項９記載の画像読取装置。
【請求項１１】
前記画像読取装置本体の前記第１透明ガイド部材に対して前記シート搬送方向の下流に設けられ、シートが載置される載置台をさらに備え、
前記第１画像読取手段は、前記画像読取装置本体の上面に載置されたシートの画像を読み取るための第１の位置と、前記シート搬送装置により搬送されるシートの画像を読み取る第２の位置とに移動可能であり、前記第２の位置を、前記第１の位置よりも前記シート搬送方向の下流側としたことを特徴とする請求項９又は１０記載の画像読取装置。
【請求項１２】
画像読取装置本体を備え、
前記接地手段は、前記画像読取装置本体の筐体と導通され、
前記導通手段は、前記画像読取装置本体の筐体に当接することを特徴とする請求項１記載の画像読取装置。
【請求項１３】
シートの画像を読み取る請求項１乃至１２の何れか１項に記載の画像読取装置と、前記画像読取装置により読み取られた画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に画像読取装置に、画像読取手段に対応して設けられた透明ガイド部材を接地させる構成に関する。
【背景技術】
【０００２】
従来、スキャナ、プリンタ、複写機等の画像形成装置に用いられる画像読取装置としては、原稿を原稿搬送装置であるＡＤＦ（Ａｕｔｏ  Ｄｏｃｕｍｅｎｔ  Ｆｅｅｄｅｒ）により搬送しながら原稿画像を読み取るものがある。この画像読取装置では、プラテンローラと透明ガイド部材との間を、原稿を通過させながら画像読取手段により原稿画像を読み取る。
【０００３】
ところで、この画像読取装置では、原稿を搬送する際、トナー粉、紙粉、ゴムカス等のゴミが発生し、このように原稿搬送で発生したゴミが透明ガイド部材に静電吸着して透明ガイド部材上に溜まる場合がある。このとき、ゴミが偶発的に画像読取手段による原稿読取位置に溜まると、原稿の読み取り中、ゴミが画像読取手段によって読み取られ、画像スジが発生する。そこで、このような画像スジの発生を防止するために、透明ガイド部材に導電部材を設け、透明ガイド部材の帯電防止を行っているものがある（特許文献１参照）。
【０００４】
ところで、従来の画像読取装置において、搬送される原稿の両面を同時に読み取るように画像読取装置本体側に設けられた画像読取手段の他に、ＡＤＦに画像読取手段を設けるようにしたものがある（特許文献２参照）。このような画像読取装置では、画像読取装置本体側の画像読取手段とＡＤＦの画像読取手段とを互いに向かい合わせて配置している。そして、原稿の両面画像を読み取る場合には、原稿を画像読取装置本体側の透明ガイド部材とＡＤＦ側の透明ガイド部材との間の搬送通路を通過させながら原稿の両面画像を読み取るようにしている。
【先行技術文献】
【特許文献】
【０００５】
【特許文献１】特許第４２３５５４３号公報
【特許文献２】特許第４８６９４０９号公報
【発明の概要】
【発明が解決しようとする課題】
【０００６】
ここで、このような従来の画像読取装置において、原稿の両面を同時に読み取る場合、原稿は画像読取装置本体側の透明ガイド部材とＡＤＦ側の透明ガイド部材に摺擦しながら搬送される。このとき、図１５に示すように、原稿Ｄと一緒に運ばれてきたゴミＧは原稿Ｄと、画像読取装置本体側の透明ガイド部材４０１及びＡＤＦ側の透明ガイド部材５０１の間で摺擦され、透明ガイド部材４０１，５０１に静電吸着する。
【０００７】
この後、原稿Ｄは、対向配置された透明ガイド部材４０１，５０１の間を通過しながら搬送されていくが、ゴミＧは透明ガイド部材４０１，５０１に静電吸着したまま滞留する。このとき、ゴミＧが偶発的に画像読取装置本体側の画像読取手段４０２、あるいはＡＤＦ側の画像読取手段５０２の原稿読取位置にある場合には、原稿Ｄの画像読み取り中、ゴミＧが画像読取手段４０２，５０２によって読み取られ、画像スジが発生する。
【０００８】
そこで、従来は、画像読取装置本体側の透明ガイド部材４０１の表面から裏面にかけて、例えばアルミシートのような導電部材４０３を導電性両面テープ４０４により貼り付けている。そして、この導電部材４０３を、接地されている画像読取装置本体の筐体４０５に導電性両面テープ４０４を介して導通させるようにしている。また、ＡＤＦ側の透明ガイド部材５０１に対しては、透明ガイド部材５０１に不図示の導電部材を貼り付け、この導電部材に導通部材で構成された弾性線材（アース線）等を結合する。そして、この弾性線材をＡＤＦ内部で束線ガイドにより拘束しながら画像読取装置本体の筐体４０５と結合させることにより、透明ガイド部材５０１を接地させている。
【０００９】
しかし、このようにＡＤＦ側の透明ガイド部材５０１を接地させる場合、アース線をＡＤＦ内部に介在させながら画像読取装置本体へと渡すため、アース線を拘束するためのガイド部品が必要となると共に、アース線長が非常に長くなる。この結果、透明ガイド部材を接地するための構成が複雑となるだけでなく、コストが増大すると共に画像読取装置本体が大型化する。
【００１０】
そこで、本発明は、このような現状に鑑みてなされたものであり、簡易な構成で、コストの増加及び画像読取装置本体の大型化を招くことなく透明ガイド部材を接地することのできる画像読取装置及び画像形成装置を提供することを目的とするものである。
【課題を解決するための手段】
【００１１】
本発明は、画像読取装置において、搬送通路を通過するシートの第１面の画像を読み取る第１画像読取手段と、前記第１画像読取手段と前記搬送通路を挟んで設けられ、シートの第１面とは逆の第２面の画像を読み取る第２画像読取手段と、導電性材料によるコート処理が施され、前記搬送通路を通過するシートをガイドするガイド面を有し、前記第１画像読取手段と前記搬送通路を通過するシートの第１面との間に介在するように前記搬送通路に沿って配置された第１透明ガイド部材と、導電性材料によるコート処理が施され、前記搬送通路を通過するシートをガイドするガイド面を有し、前記第２画像読取手段と前記搬送通路を通過するシートの第２面との間に介在するように前記搬送通路に沿って、かつ前記搬送通路を挟んで前記第１透明ガイド部材に対向するように配置された第２透明ガイド部材と、前記第１透明ガイド部材に設けられ、前記第１透明ガイド部材を接地させる接地手段と、前記第１透明ガイド部材及び前記第２透明ガイド部材の一方に設けられ、前記第１透明ガイド部材及び前記第２透明ガイド部材の他方に当接して前記第１透明ガイド部材及び前記第２透明ガイド部材を導通させる導通手段であって、前記搬送通路を搬送されるシートのシート搬送方向に直交する幅方向に関して、シートが通過する領域の外側で前記第１透明ガイド部材及び前記第２透明ガイド部材の他方に当接するように配置された導通手段と、を備え、前記第２透明ガイド部材は、前記導通手段、前記第１透明ガイド部材及び前記接地手段を介して接地されることを特徴とするものである。
【発明の効果】
【００１２】
本発明のように、第１及び第２透明ガイド部材の一方に設けられた導通手段によって第１及び第２透明ガイド部材を導通させることにより、簡易な構成で、コストの増加及び画像読取装置本体の大型化を招くことなく透明ガイド部材を接地することができる。
【図面の簡単な説明】
【００１３】
【図１】本発明の第１の実施の形態に係る画像読取装置を備えた画像形成装置の一例である複写機の構成を説明する図。
【図２】上記画像読取装置の構成を説明する図。
【図３】上記画像読取装置を構成するＡＤＦの駆動系を説明する図。
【図４】上記ＡＤＦを上下方向に回動させるヒンジ機構を説明する図。
【図５】上記画像読取装置置に設けられた第１及び第２原稿読取手段の構成を説明する第１の図。
【図６】上記第１及び第２原稿読取手段の構成を説明する第２の図。
【図７】上記画像読取装置の要部拡大図。
【図８】（ａ）は第１原稿読取手段の画像読取領域及び読取外領域を示す図、（ｂ）は第２原稿読取手段の画像読取領域及び読取外領域を示す図。
【図９】本発明の第２の実施の形態に係る画像読取装置の要部拡大図。
【図１０】本実施の形態の他の構成を説明する図。
【図１１】本発明の第３の実施の形態に係る画像読取装置の要部拡大図。
【図１２】本発明の第４の実施の形態に係る画像読取装置の要部拡大図。
【図１３】本発明の第５の実施の形態に係る画像読取装置の構成を説明する図。
【図１４】上記画像読取装置の要部拡大図。
【図１５】従来の画像読取装置の課題を説明するための図。
【発明を実施するための形態】
【００１４】
以下、本発明を実施するための形態について図面を用いて詳細に説明する。なお、以下の実施の形態に記載されている構成部品の寸法、材質、形状、その相対配置などは、特に特定的な記載がない限りは、この発明の範囲をそれらのみに限定する趣旨のものではない。
【００１５】
図１は、本発明の第１の実施の形態に係る画像読取装置を備えた画像形成装置の一例である複写機の構成を説明する図である。図１に示すように、複写機１０１の装置本体１０１Ａの上部には、画像読取装置３０が配置されている。この画像読取装置３０は、画像が形成されたシートである原稿の画像面に光を照射して画像を読み取る第１画像読取手段である第１原稿読取手段１５１を備えた画像読取装置本体１０２を備えている。
【００１６】
また、この画像読取装置３０には、第１原稿読取手段１５１により原稿画像を読み取る画像読み取り位置に原稿Ｄを搬送するシート搬送装置の一例としての原稿搬送装置（以下、ＡＤＦという）１を開閉可能に設けられている。なお、本実施の形態において、後述するようにＡＤＦ１には、原稿Ｄの画像面に光を照射して原稿画像を読み取る第２画像読取手段である第２原稿読取手段が設けられている。つまり、本実施の形態の画像読取装置３０は、原稿画像を読み取る画像読取手段として、第１原稿読取手段１５１と第２原稿読取手段を備えている。
【００１７】
そして、この画像読取装置３０は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ１により原稿を、第１原稿読取手段１５１の上方及び第２原稿読取手段の下方を通過させて原稿画像を読み取るモードである。固定読みモードは、ユーザにより載置された原稿画像を、第１原稿読取手段１５１を副走査方向に移動させながら読み取るモードである。そして、固定読みモードの場合は、第１原稿読取手段１５１を往復移動することにより、原稿が光学的に走査される。なお、ＡＤＦ１は画像読取装置本体１０２に上下方向に回動自在に設けられており、固定読みモードの場合は、ＡＤＦ１を上方回動して原稿を載置する。
【００１８】
画像読取装置３０の下方には画像形成部１３３と、画像形成部１３３にシートＰを給送するシート給送装置１３８が設けられている。また、装置本体１０１Ａの側端部には手差し給紙部１３９が設けられている。画像形成部１３３には、感光体ドラム１２１、現像器１２４、レーザスキャナユニット１２３、クリーナ１２７等が設けられている。
【００１９】
シート給送装置１３８は、ＯＨＴ等のシートＰを収容して装置本体１０１Ａに着脱自在な複数のシート収納部１３７及びシート収納部１３７に収納されたシートＰを送り出すピックアップローラ１３８ａを備えている。また、手差し給紙部１３９は、手差しシートＰが載置されるトレイ１３９ａ及びトレイ１３９ａに載置されたシートを送り出すピックアップローラ１３９ｂを備えている。なお、装置本体１０１Ａの所定の位置には、画像形成部１３３の画像形成動作、シート給送装置１３８及び手差し給紙部１３９のシート給送動作等を制御する制御部１３２が設けられている。
【００２０】
次に、このような構成の複写機１０１の画像形成動作について説明する。制御部１３２から画像読取装置３０に画像読取信号が出力されると、例えば流し読みモードが設定されている場合は、ＡＤＦ１により原稿Ｄが搬送され、原稿が第１原稿読取手段１５１の上方及び第２原稿読取手段の下方を通過する。そして、このように搬送される原稿画像を原稿読取手段により読み取り、読み取った原稿画像を電気信号に変換し、電気信号に基づいて画像データ（画像情報）を作成する。
【００２１】
この後、レーザスキャナユニット１２３から、この画像データに対応したレーザ光が感光体ドラム１２１上に照射される。このとき感光体ドラム１２１は、予め帯電器１２２により帯電されており、光が照射されることによって静電潜像が形成され、次いで静電潜像を現像器１２４によって現像することにより、感光体ドラム上にトナー像が形成される。
【００２２】
一方、制御部１３２から給紙信号がシート給送装置１３８に出力されると、ピックアップローラ１３８ａにより、シート収納部１３７に収納されたシートＰが給送される。この後、給送されたシートＰは搬送ローラ１３１により、レジストレーションローラ対１３６に搬送される。なお、手差し給紙の場合は、トレイ１３９ａに載置されたシートは、ピックアップローラ１３９ｂによりレジストレーションローラ対１３６に搬送される。そして、シートはレジストレーションローラ対１３６により斜行が補正された後、感光体ドラム１２１上のトナー画像と位置を合わされて、感光体ドラム１２１と転写帯電器１２５とにより構成される転写部に送られる。
【００２３】
次に、転写部に送られたシートは、転写帯電器１２５によって感光体ドラム上のトナー画像が転写され、分離帯電器１２６によって感光体ドラム１２１から分離される。なお、トナー画像を転写した感光体ドラム１２１は、クリーナ１２７により表面がクリーニングされると共に、次の露光に備えて帯電器１２２により表面が帯電される。そして、トナー像が転写されたシートは、この後、定着部１２９に搬送される。さらにこの後、定着部１２９により加熱及び加圧されることにより、シートＰに未定着転写画像が永久定着される。そして、このように画像が定着されたシートは装置本体１０１Ａから排紙トレイ１３０に排出される。
【００２４】
ここで、図２に示すように、ＡＤＦ１には、原稿Ｄが積層状に載置される原稿給紙トレイ２が片持ち状態で略水平に突出するように取り付けられており、原稿給紙トレイ２の下方には、画像が読み取られた後の原稿を受ける原稿排出トレイ３が配置されている。なお、原稿給紙トレイ２及び原稿排出トレイ３は、上下方向において適宜の間隔をなして上下に対面するように配置されており、平面視においてほぼ重なり合うように配置されている。
【００２５】
また、ＡＤＦ１の原稿が搬送される搬送通路Ｔの上方には、原稿画像を読み取る第２原稿読取手段２０１が搬送通路Ｔを挟んで設けられている。そして、このように第２原稿読取手段２０１を設けることにより、流し読みモードが設定された場合、原稿の表裏両面に形成された画像を、画像読取装置本体側の第１原稿読取手段１５１と第２原稿読取手段２０１とにより同時に読み取ることができる。
【００２６】
なお、第１原稿読取手段１５１よりも搬送通路側には原稿Ｄをガイドする第１透明ガイド部材１５２が、第２原稿読取手段２０１よりも搬送通路側には原稿Ｄをガイドする第２透明ガイド部材２０２が搬送通路Ｔを挟むように対向して配置されている。また、第１原稿読取手段１５１は、キャリッジＣに載置された状態で不図示のシャフト部に案内されて移動する。
【００２７】
そして、流し読みモードが設定された場合には、キャリッジＣを移動させて第１原稿読取手段１５１を流し読み位置Ｐ２に移動させる。また、固定読みモードが設定された場合には、第１原稿読取手段１５１を第１透明ガイド部材１５２の原稿搬送方向下流（シート搬送方向下流）に設けられた載置台である圧板ガラス２１３に載置された原稿の画像を読み取るための待機位置Ｐ１に移動させる。この後、第１原稿読取手段１５１を待機位置Ｐ１と終端位置Ｐ３の間を往復移動させることにより、圧板ガラス２１３にセットされた原稿画像を読み取る。
【００２８】
また、ＡＤＦ１は、原稿給紙トレイ２上に載置されている原稿Ｄを送り出す給紙ローラ４を備えている。さらに、ＡＤＦ１は、給紙ローラ４により送り出された原稿を搬送する搬送ローラ５と、不図示のばねにより付勢されて搬送ローラ５に圧接し、給紙ローラ４により搬送されたシートを１枚ずつ分離する分離部を構成するリタードローラ６を備えている。
【００２９】
また、ＡＤＦ１は、分離部により分離されたシートの斜行を補正するレジストレーションローラ対７を備えている。さらに、ＡＤＦ１は、レジストレーションローラ対７によって斜行が補正された原稿を第１原稿読取手段１５１及び第２原稿読取手段２０１による画像読取位置に送り込む第１搬送ローラ対８を備えている。また、ＡＤＦ１は、画像が読み取られた原稿を搬送する第２搬送ローラ対９と、第２搬送ローラ対９により搬送された原稿を原稿排出トレイ３に排出する排紙ローラ対１０を備えている。
【００３０】
なお、図３は、ＡＤＦ１の駆動系を示す図であり、搬送ローラ５、第１搬送ローラ対８、排紙ローラ対１０は駆動モータＭにより回転する。また、レジストレーションローラ対７は、駆動モータＭにより駆動されると共に、電磁クラッチＣＬ等により駆動伝達が遮断され、一定時間回転を停止する。
【００３１】
次に、このように構成された画像読取装置３０の、流し読みモードが設定された場合の画像読取動作について説明する。ユーザにより流し読みモードが選択されると、制御部１３２は、原稿給紙トレイ２上に原稿Ｄが載置されているかを、給紙ローラ４よりも上流側に位置する載置原稿検知センサＳ１により判断する。そして、載置原稿検知センサＳ１により原稿Ｄが検知されると、キャリッジＣを移動させ、図２に示す待機位置Ｐ１にある第１原稿読取手段１５１を流し読み位置Ｐ２に移動させる。
【００３２】
次に、制御部１３２は、駆動モータＭを駆動し、給紙ローラ４を回転させながら破線の位置から実線の位置に下降させて原稿Ｄに当接させ、原稿Ｄを送り出す。そして、送り出された原稿Ｄは、搬送ローラ５及びリタードローラ６との間の摩擦力によって１枚ずつに分離され、分離された原稿Ｄはレジストレーションローラ対７に先端を突き当てられる。
【００３３】
このとき、レジストレーションローラ対７は電磁クラッチＣＬにより駆動モータＭの駆動伝達が遮断されているため回転を停止している。このため、搬送ローラ５により原稿が搬送され続けると、原稿の先端部分にループが形成され、原稿の斜行が補正される。なお、レジストレーションローラ対７へ搬送される際、原稿Ｄの先端は、レジストレーションローラ対７の原稿搬送方向の上流側に設置された第１原稿検知センサＳ２により検知される。
【００３４】
次に、第１原稿検知センサＳ２が原稿Ｄの先端を検知してから一定時間が経過すると、制御部１３２は電磁クラッチＣＬを作動させて駆動モータＭの駆動をレジストレーションローラ対７に伝達する。これにより、レジストレーションローラ対７が回転し、斜行が補正された原稿は、レジストレーションローラ対７によって第１搬送ローラ対８へ搬送される。そして、原稿は、この第１搬送ローラ対８により第１原稿読取手段１５１及び第２原稿読取手段２０１が配置された画像読み取り部Ｒに搬送される。
【００３５】
ここで、レジストレーションローラ対７と第１搬送ローラ対８との間の搬送通路内には原稿の先端を検知する第３原稿検知センサＳ３が設けられている。そして、制御部１３２は、この第３原稿検知センサＳ３の原稿先端検知タイミングに応じて第１原稿読取手段１５１及び第２原稿読取手段２０１の読み取り動作を開始する。
【００３６】
次に、原稿は、第１原稿読取手段１５１の流し読み位置Ｐ２及び第２原稿読取手段２０１の流し読み位置Ｐ４を通過することにより、両面の画像を読み取られながら搬送ローラ対９により搬送される。そして、画像が読み取られた原稿は、排紙ローラ対１０によって原稿排出トレイ３の載置面上に順次排出されて積層される。
【００３７】
なお、固定読みモードの場合は、ＡＤＦ１を、図４に示すようにヒンジ部であるヒンジ機構１１によって上方回動させて画像読取装置本体１０２の上方を開放させ、圧板ガラス２１３上に原稿を載置する。この後、ＡＤＦ１を閉じ、ユーザが複写操作を行うと、既述した図２に示すキャリッジＣが移動し、待機位置Ｐ１で待機している第１原稿読取手段１５１が画像を読み取りながら終端位置Ｐ３に移動する。そして、このように第１原稿読取手段１５１が移動することにより、圧板ガラス２１３上の原稿の画像が読み取られる。
【００３８】
なお、ヒンジ機構１１は、図４に示すようにＡＤＦ１と画像読取装置本体１０２を画像読取装置本体１０２の奥側で結合すると共に回動軸１２ａを中心にしてＡＤＦ１を画像読取装置本体１０２に対して上下方向に回動させる構造になっている。そして、このような構造のヒンジ機構１１に支持されたＡＤＦ１は圧板ガラス２１３に対して開放可能となっている。また、ヒンジ機構１１は画像読取装置３０に対して上下方向にも移動可能に取り付けられており、これにより厚みのある原稿を読み取ることが可能となっている。
【００３９】
ところで、本実施の形態において、第１原稿読取手段１５１と第２原稿読取手段２０１として、ＣＩＳ（Ｃｏｎｔａｃｔ  Ｉｍａｇｅ  Ｓｅｎｓｅｒ）を用いている。ここで、このＣＩＳは、図５及び図６に示すように、フレーム１２に設けられ、原稿を照射するためのＬＥＤを用いた不図示の光源と、導光体１３からなる照明装置を備えている。そして、この照明装置では、光源からの出射光を導光体１３に取り入れた後、導光体１３により、原稿読取領域の主走査方向の長さにわたって照射光量が略均一になるように原稿に向けて出射する。
【００４０】
また、ＣＩＳは、原稿からの反射光である光学像１４を電気信号に光電変換する受光部を複数備えた光電変換素子１５を主走査方向にライン配置したセンサアレイ１５ａを搭載したセンサ基板１６を備えている。さらに、ＣＩＳは、原稿の光学像をセンサアレイ上に結像するレンズアレイ１７を備えている。なお、例えばＡ４サイズの原稿を読み取ることが可能なＣＩＳの場合、短辺方向を、原稿を走査する主走査方向とすると、センサアレイ１５ａには解像度６００ｄｐｉ（ｄｏｔ  ｐｅｒ  ｉｎｃｈ）で約５１００画素分の光電変換素子１５が配列されている。
【００４１】
ここで、ＣＩＳによる原稿の画像読取領域は光電変換素子１５を配置した領域であり、光電変換素子１５は副走査方向に搬送される原稿が斜行しても画像が読み取れるように主走査方向において、原稿の幅よりも端面が３ｍｍ程度長く配置されている。即ち、本実施の形態において、画像読取領域の主走査方向の長さは図６に示されるように光電変換素子１５が主走査方向に配置された長さＸである。
【００４２】
図７は、画像読取装置３０の要部拡大図である。図７に示すように、第２原稿読取手段２０１は密閉ガイド３０３と第２透明ガイド部材２０２によって密閉されたカバーモジュール３０１の内部に収納されている。そして、第２原稿読取手段２０１を密閉されたカバーモジュール３０１の内部に収納することにより、原稿の搬送に伴って搬送通路内部で発生する紙粉等が、第２原稿読取手段２０１と第２透明ガイド部材２０２の間に侵入しないようにすることができる。
【００４３】
ここで、密閉ガイド３０３と第２透明ガイド部材２０２は互い重なり合わさる隙間を埋めるために、例えば接着材などで固定される。また、密閉ガイド３０３の一部には不図示の開口部が設けられており、この開口部により、第２原稿読取手段２０１の不図示の信号線ケーブルが装置本体１０１Ａ内に設けられた画像処理部と接続される。このとき、開口部の周囲はスポンジ状の弾性部材で信号ケーブルを囲うように覆っており紙粉等の侵入を防止している。
【００４４】
なお、密閉ガイド３０３の内部には第２原稿読取手段２０１を第２透明ガイド部材２０２に押し付けるための押圧バネ２０３が設けられている。そして、押圧バネ２０３により付勢された第２原稿読取手段２０１は、第２原稿読取手段２０１の両端に設けられた不図示のスペーサによって第２透明ガイド部材２０２と当接し、搬送通路Ｔを通過する原稿の上面（第２面）との適切な焦点距離を保障している。
【００４５】
また、カバーモジュール３０１はＡＤＦ１の不図示の搬送フレームの内部と接続された圧縮バネ３０２によって第１透明ガイド部材１５２の方向へ押圧されている。ここで、密閉ガイド３０３の底面には、突き当て部３０３ａ，３０３ｂが突設されている。そして、圧縮バネ３０２によって付勢されたカバーモジュール３０１は、突き当て部３０３ａ，３０３ｂを第１透明ガイド部材１５２に突き当てることにより、第１透明ガイド部材１５２と第２透明ガイド部材２０２で形成される搬送通路Ｔの隙間を保障している。
【００４６】
なお、本実施の形態において、この第１透明ガイド部材１５２及び第２透明ガイド部材２０２の隙間は、原稿の通過が可能となるよう０．９ｍｍに設定されている。また、第１原稿読取手段１５１の第１の読取位置Ｐ２と、第２原稿読取手段２０１の第２の読取位置Ｐ４の距離Ｌは、夫々の原稿読取手段に設けられた照明からの影響を互いに受けないよう１５．５ｍｍに設定されている。
【００４７】
第１原稿読取手段１５１は、キャリッジＣに備えられた圧縮スプリング１５３によって第１透明ガイド部材１５２の方向へ押圧されている。そして、第１原稿読取手段１５１の両端に取り付けられた不図示のスペーサ部材が第１透明ガイド部材１５２と当接することにより、搬送通路Ｔを通過する原稿の上面とは逆の裏面（第１面）との適切な焦点距離を保障している。なお、第１透明ガイド部材１５２の裏側には、第２原稿読取手段２０１により原稿の裏面を読み取るときに薄紙の裏写りを防止するため、白シート部材２１２が設けられている。
【００４８】
次に、第１透明ガイド部材１５２及び第２透明ガイド部材２０２の導通構造について説明する。第１透明ガイド部材１５２の原稿をガイドするガイド面には導電性コート処理（ＩＴＯ処理）が施されており、このためガイド面の表面抵抗率は２００〜５００Ω／ｃｍとなっている。そして、図７に示すように、第１透明ガイド部材１５２の原稿搬送方向上流側の縁部には、第１透明ガイド部材１５２の表面から裏面にかけてアルミシート１５５が導電性両面テープ１５４により一体となって貼り付けられている。
【００４９】
これにより、アルミシート１５５は第１透明ガイド部材１５２のガイド面と導通する。ここで、アルミシート１５５と導電性両面テープ１５４は、第１透明ガイド部材１５２を接地させるための接地手段１５７を構成するものであり、アルミシート１５５は、画像読取装置本体１０２の、例えば板金などの導電性を有する筐体１５６と結合されている。この筐体１５６は画像読取装置本体１０２と導通されており、この筐体１５６と接地手段１５７が結合されることにより、第１透明ガイド部材１５２は、導電性両面テープ１５４、アルミシート１５５、筐体１５６及び画像読取装置本体１０２を介して接地される。
【００５０】
また、第２透明ガイド部材２０２の原稿をガイドするガイド面には導電性コート処理（ＩＴＯ処理）が施されており、このためガイド面の表面抵抗率は２００〜５００Ω／ｃｍとなっている。そして、第２透明ガイド部材２０２の縁部近傍には弾性を有する導通手段である導電部材２０４が貼り付けられている。この導電部材２０４は、例えば導電ガスケットのように芯材に弾性部材であるウレタンフォームを使用し、その周囲に導電性フィルムを一体結合したものであり、導電部材２０４は第２透明ガイド部材２０２に導電性両面テープ２０５により取り付けられている。
【００５１】
次に、導電部材２０４の取り付け領域について説明する。図８の（ａ）は第１透明ガイド部材１５２側から第１原稿読取手段１５１を見た図である。図８の（ａ）に示す第１原稿読取手段１５１の画像読取領域１ａは、ＡＤＦ１で搬送される原稿の最大サイズ（幅サイズ）よりも大きく設計される。なお、図８の（ａ）において、点線部は第１原稿読取手段１５１の読取中心を表し、１ｂは第１原稿読取手段１５１の画像読取領域１ａのシート搬送方向と直交する幅方向の両側の読取外領域を示している。
【００５２】
図８の（ｂ）は第２透明ガイド部材２０２側から第２原稿読取手段２０１を見た図である。図８の（ｂ）に示す第２原稿読取手段２０１の画像読取領域２ａは、ＡＤＦ１で搬送される原稿の最大サイズ（幅サイズ）よりも長く設計される。また、図８の（ｂ）において、点線部は第２原稿読取手段２０１の読取中心を表し、２ｂは第２原稿読取手段２０１の読取外領域を示している。なお、画像読取領域１ａ，２ａの幅方向の長さは、図６に示すＣＩＳにおける光電変換素子１５が配置された長さＸに該当する。
【００５３】
ここで、一般的には第１原稿読取手段１５１の画像読取領域１ａと第２原稿読取手段２０１の画像読取領域２ａは同じ幅で設計される。しかし、本実施の形態では原稿通路と導電経路を保障するために、図８に示すように、第１透明ガイド部材１５２の面積は第２透明ガイド部材２０２よりも大きくなっている。
【００５４】
また、既述した図７に示す導電部材２０４は読み取られる原稿の通過を妨げないように第２透明ガイド部材２０２の、第２原稿読取手段２０１の読取外領域２ｂの少なくとも一方に貼り付けられる。ここで、この導電部材２０４の貼り付け位置は、ＡＤＦ１を閉じた際、導電部材２０４が第１透明ガイド部材１５２の、第１原稿読取手段１５１の読取外領域１ｂに当接する位置となっている。
【００５５】
なお、本実施の形態では、既述したように、第２透明ガイド部材２０２は密閉ガイド３０３と一体となっている。このため、ＡＤＦ１を閉じた際、既述した図７に示す密閉ガイド３０３の搬送方向の上流側と下流側に設けられた突き当て部３０３ａ，３０３ｂが第１透明ガイド部材１５２に当接して搬送通路Ｔが形成される。ここで、この突き当て部３０３ａ，３０３ｂは、それぞれ搬送通路内を通過する原稿の搬送を阻害しないように第１原稿読取手段１５１の両読取外領域１ｂに当接するように設けられている。
【００５６】
これにより、ＡＤＦ１を閉じると、突き当て部３０３ａ，３０３ｂは、第１原稿読取手段１５１の両読取外領域１ｂに当接し、導電部材２０４は両読取外領域１ｂの少なくとも一方の、突き当て部３０３ａ，３０３ｂが当接していない領域で当接する。このように、ＡＤＦ１を閉じた際、突き当て部３０３ａ，３０３ｂ及び導電部材２０４は第１透明ガイド部材１５２及び第２透明ガイド部材２０２の読取外領域１ｂ，２ｂに位置するため、搬送中の原稿の通過を妨げることはない。
【００５７】
導電部材２０４の厚みは、搬送通路Ｔの高さ方向の距離、すなわち第１透明ガイド部材１５２及び第２透明ガイド部材２０２の上下方向の間隔よりも大きく設定されている。このため、ＡＤＦ１を閉じると、導電部材２０４は、まず第１透明ガイド部材１５２に当接し、さらにＡＤＦ１を閉じると、第１透明ガイド部材１５２に圧接する。そして、この後、突き当て部３０３ａ，３０３ｂが第１透明ガイド部材１５２に当接するまでＡＤＦ１を閉じると、導電部材２０４は第２透明ガイド部材２０２及び第１透明ガイド部材１５２の間で圧縮される。
【００５８】
これにより、第２透明ガイド部材２０２は導電部材２０４を介して第１透明ガイド部材１５２と導通される。そして、このように第１透明ガイド部材１５２と導通されることにより、第２透明ガイド部材２０２は、導電部材２０４、第１透明ガイド部材１５２、接地手段１５７及び画像読取装置本体１０２の筐体１５６を介して接地される。
【００５９】
ここで、第１透明ガイド部材１５２及び第２透明ガイド部材２０２を接地した場合、原稿Ｄ、ゴミ、第１透明ガイド部材１５２及び第２透明ガイド部材２０２の間には静電吸着力は作用せず、摩擦による力が支配的となる。この場合、原稿Ｄとゴミとの摩擦力の方が、ゴミと第１透明ガイド部材１５２及び第２透明ガイド部材２０２との摩擦力より強くなるので、ゴミは原稿と共に搬送される。これにより、ゴミが第１透明ガイド部材１５２及び第２透明ガイド部材２０２に滞留することがなくなり、画像スジが発生するのを防ぐことができる。
【００６０】
なお、導電部材２０４を圧縮させながらＡＤＦ１を閉じる場合、図７に示すように、密閉ガイド３０３には導電部材２０４の圧縮による反発力Ｆ１が加わる。ここで、この反発力Ｆ１により、導電部材２０４を第１透明ガイド部材１５２に圧接させることができなくなると、第２透明ガイド部材２０２と第１透明ガイド部材１５２との導通を確保できない場合がある。このため、本実施の形態においては、導電部材２０４の圧縮による反発力Ｆ１にかかわらず導電部材２０４を第１透明ガイド部材１５２に圧接させることができるよう圧縮バネ３０２の押圧力Ｆ２及びカバーモジュール３０１の重量を設定している。
【００６１】
以上説明したように、本実施の形態においては、第２透明ガイド部材２０２に導電部材２０４を設け、この導電部材２０４により、第２透明ガイド部材２０２を第１透明ガイド部材１５２と導通させるようにしている。これにより、ＡＤＦ側の第２透明ガイド部材２０２を、アース線を用いることなく接地することができるので、簡易な構成で、コストの増加及び画像読取装置本体１０２の大型化を招くことなく第２透明ガイド部材２０２を接地することができる。
【００６２】
なお、本実施の形態では、導電部材２０４としてウレタンフォームと導電性フィルムにより形成されたものを用いた。しかし、導電部材２０４として、例えば導電性ゴムや、Φ１２μｍ程度のステンレスワイヤ等の線材を５０〜１００本束ねたブラシ状の導電部材を用いても良い。
【００６３】
また、本実施の形態では、導電部材２０４を第２透明ガイド部材２０２に貼り付けているが、導電部材２０４を第１透明ガイド部材１５２に設けても良い。即ち、導電部材２０４を第１透明ガイド部材１５２及び第２透明ガイド部材２０２の一方に設ければ良い。なお、導電部材２０４を第１透明ガイド部材１５２に設ける場合、導電部材２０４は第１透明ガイド部材１５２の、第１原稿読取手段１５１の読取外領域１ｂに貼り付けられる。また、ＡＤＦ１を閉じると、導電部材２０４は第２透明ガイド部材２０２の、第２原稿読取手段２０１の読取外領域２ｂに当接する。
【００６４】
さらに、本実施の形態では、導電部材２０４を第２透明ガイド部材２０２の、第２原稿読取手段２０１の読取外領域２ｂの一部に貼り付けているが、第２透明ガイド部材２０２の、第２原稿読取手段２０１の読取外領域２ｂ全域に貼り付けても良い。
【００６５】
次に、本発明の第２の実施の形態に係る画像読取装置について説明する。図９は、本実施の形態に係る画像読取装置の要部拡大図である。なお、図９において、既述した図７と同一符号は、同一又は相当部分を示している。
【００６６】
本実施の形態においては、既述した図８の（ｂ）に示す第２透明ガイド部材２０２の、第２原稿読取手段２０１の読取外領域２ｂに、図９に示すように導電性を有するシート状部材であるアルミシート２０７が導電性両面テープ２０６により貼り付けられている。これにより、アルミシート２０７は第２透明ガイド部材２０２の表面と導通されている。つまり、本実施の形態において、第２透明ガイド部材２０２は、アルミシート２０７と導電性両面テープ２０６とにより構成される導通手段２０７ａを備えている。
【００６７】
また、本実施の形態において、このアルミシート２０７と導電性両面テープ２０６によって原稿の搬送通路Ｔが形成される構成となっている。つまり、本実施の形態では、密閉ガイド３０３に突き当て部を設けることなく、アルミシート２０７と導電性両面テープ２０６によって原稿の搬送通路Ｔが形成される。なお、このアルミシート２０７は、３５μｍ〜５００μｍ程度の厚さであり、導電性両面テープ２０６の厚みを合わせると、約６５μｍ〜９００μｍ程度になる。そして、本実施の形態では、搬送通路は０．９ｍｍに設定されていることから、例えばアルミシートの厚さを５００μｍ、導電性両面テープの厚さを４００μｍで形成している。
【００６８】
このように構成することにより、ＡＤＦ１が閉じられると、アルミシート２０７は、既述した図８の（ａ）に示す第１透明ガイド部材１５２の、第１原稿読取手段１５１の読取外領域１ｂに当接する。これにより、第２透明ガイド部材２０２は導電性両面テープ２０６、アルミシート２０７を経由して第１透明ガイド部材１５２に導通される。この結果、第２透明ガイド部材２０２は、第１透明ガイド部材１５２に貼り付けられた導電性両面テープ１５４、アルミシート１５５、筐体１５６及び画像読取装置本体１０２を介して接地される。
【００６９】
以上説明したように、本実施の形態では、第２透明ガイド部材２０２に、アルミシート２０７と導電性両面テープ２０６とにより構成される導通手段２０７ａを設けている。そして、この導通手段２０７ａにより、原稿の搬送通路Ｔを形成すると共に、第２透明ガイド部材２０２を第１透明ガイド部材１５２と導通させるようにしている。これにより、既述した第１の実施の形態と同様の効果を得ることができると共に、密閉ガイド３０３に突き当て部を設ける必要がなくなるので、密閉ガイド３０３の構造を簡略化することができる。
【００７０】
なお、本実施の形態においては、導電性両面テープ２０６とアルミシート２０７を第２透明ガイド部材２０２に取り付けているが、導電性両面テープ２０６とアルミシート２０７を第１透明ガイド部材１５２に設けても良い。即ち、導電性両面テープ２０６とアルミシート２０７を第１透明ガイド部材１５２及び第２透明ガイド部材２０２の一方に設ければ良い。
【００７１】
また、本実施の形態では、アルミシート２０７を第１透明ガイド部材１５２に当接させることにより、第２透明ガイド部材２０２を第１透明ガイド部材１５２と導通させるようにしているが、本実施の形態は、これに限らない。例えば、図１０に示すようにアルミシート２０７を第１透明ガイド部材１５２に貼り付けられた接地手段１５７のアルミシート１５５に当接させても同様な効果を得ることができる。この場合、原稿の通過が可能となるよう、例えばアルミシート１５５と２０７の厚さを夫々２５０μｍ、導電性両面テープ１５４と２０６の厚さを夫々２００μｍとする。
【００７２】
また、本実施の形態では、導電性を有するシート部材としてアルミシートを用いたが、導電性を有していれば、例えば圧延銅箔や電解銅箔等を用いても良い。また、導電性を有するシート部材を、図８の（ｂ）に示す第２透明ガイド部材２０２の、第２原稿読取手段２０１の読取外領域２ｂのどの位置に設けても良い。さらに、アルミシートを第２透明ガイド部材２０２の、第２原稿読取手段２０１の読取外領域２ｂの全域に貼り付けて圧縮バネ３０２の押圧力とのバランスをとることにより、第１透明ガイド部材１５２にアルミシート２０７を確実に当接させるようにしても良い。
【００７３】
次に、本発明の第３の実施の形態に係る画像読取装置について説明する。図１１は、本実施の形態に係る画像読取装置の要部拡大図である。なお、図１１において、既述した図７と同一符号は、同一又は相当部分を示している。
【００７４】
本実施の形態においては、既述した図８の（ｂ）に示す第２透明ガイド部材２０２の第２原稿読取手段２０１の読取外領域２ｂに、図１１に示すように導通手段である導電性を有する弾性部材である板状部材２０８が取り付けられている。そして、この板状部材２０８の一端部には第２透明ガイド部材２０２の端部を挟み込む挟持部２０８ａが設けられ、他端部には第１透明ガイド部材１５２に向かう方向に伸びた舌状片２０８ｂが設けられている。
【００７５】
そして、ＡＤＦ１を閉じると、舌状片２０８ｂは第１透明ガイド部材１５２に当接しながら第２透明ガイド部材１５２の表面に沿って点線の位置から上方に撓み、実線の位置に移動する。これにより、板状部材２０８は、適切な当接圧で第１透明ガイド部材１５２に当接する。この結果、第２透明ガイド部材２０２は板状部材２０８を介して第１透明ガイド部材１５２と導通される。これにより、第２透明ガイド部材２０２は、第１透明ガイド部材１５２に貼り付けられた導電性両面テープ１５４、アルミシート１５５、筐体１５６及び画像読取装置本体１０２を介して接地される。
【００７６】
なお、ＡＤＦ１を閉じた際、上方に撓んだ板状部材２０８の舌状片２０８ｂの先端が第２透明ガイド部材２０２に当接することにより、第１透明ガイド部材１５２と第２透明ガイド部材２０２の間隔を原稿の通過が可能な間隔に保つことができる。
【００７７】
以上説明したように、本実施の形態では、第２透明ガイド部材２０２に導電性を有する弾性部材である板状部材２０８を設け、この板状部材２０８により、第２透明ガイド部材２０２を第１透明ガイド部材１５２と導通させるようにしている。これにより、既述した第１の実施の形態と同様の効果を得ることができる。
【００７８】
なお、本実施の形態では、導電性を有する弾性部材の一例として板状部材を用いたが、弾性部材は必ずしも板状である必要はなく、例えば圧縮バネ等の線材で形成されたものを用いても良い。この場合、弾性部材の材質はＳＵＳ（ステンレス鋼帯、ステンレス線線）が適している。また、板状部材２０８は、第１透明ガイド部材１５２及び第２透明ガイド部材２０２の一方に設ければ良い。
【００７９】
ところで、既述した第１〜第３の実施の形態においては、筐体を例えば板金などの導電性を有する部材により形成し、この筐体を介して第１透明ガイド部材１５２及び第２透明ガイド部材２０２を接地させる場合について説明してきた。しかし、近年、画像読取装置の軽量化を実現するために画像読取装置の筐体の材質をＡＢＳやＰＣ＋ＡＢＳなどの樹脂材料で形成する場合がある。この場合、第１透明ガイド部材１５２及び第２透明ガイド部材２０２を、筐体を介して接地することができない。このため、画像読取装置の筐体を樹脂材料で形成する場合は、筐体を用いることなく第１透明ガイド部材１５２及び第２透明ガイド部材２０２を接地する必要がある。
【００８０】
次に、このように画像読取装置の筐体を用いることなく第１透明ガイド部材１５２及び第２透明ガイド部材２０２を接地するようにした本発明の第４の実施の形態に係る画像読取装置について説明する。図１２は、本実施の形態に係る画像読取装置の要部拡大図である。なお、図１２において、既述した図７と同一符号は、同一又は相当部分を示している。
【００８１】
本実施の形態において、第１透明ガイド部材１５２のガイド面には導電性コート処理が施されている。そして、この第１透明ガイド部材１５２には、例えば既述した第１の実施の形態のような導電部材２０４が導電性両面テープ２０５によって貼り付けられている。一方、第２透明ガイド部材２０２のガイド面には導電性コート処理が施されている。また、第２透明ガイド部材２０２には、第２透明ガイド部材２０２を接地させるための接地手段を構成する接地部材２０９が取り付けられている。
【００８２】
ここで、この接地部材２０９は、例えば板状の導電部材であり、一端にクリップ部２０９ａが形成されている。そして、接地部材２０９は、クリップ部２０９ａによって第２透明ガイド部材２０２を挟持することにより、第２透明ガイド部材２０２に固定されている。また、接地部材２０９の他端部には、アース線２１０等をビス２１１によって固定するための固定部２０９ｂが形成されている。なお、このアース線２１０はＡＤＦ１の内部を経由して、既述した図４に示すヒンジ機構１１に接続されている。ここで、このヒンジ機構１１は、複写機１０１の装置本体１０１Ａの不図示の導電性筐体部と接続されている。
【００８３】
このように構成することにより、本実施の形態においては、ＡＤＦ１を閉じると、導電部材２０４は第２透明ガイド部材２０２と当接し、これにより第１透明ガイド部材１５２と第２透明ガイド部材２０２との導通がとられる。そして、第１透明ガイド部材１５２と第２透明ガイド部材２０２との導通がとられることにより、第１透明ガイド部材１５２は導電部材２０４、接地部材２０９、アース線２１０、ヒンジ機構１１及び装置本体１０１Ａの不図示の導電性筐体部を介して接地される。なお、このとき、密閉ガイド３０３の突き当て部３０３ａ，３０３ｂが第２透明ガイド部材２０２に当接することで搬送通路Ｔの間隔が保障される。また、導電部材２０４は、第２透明ガイド部材２０２の、突き当て部３０３ａ，３０３ｂが当接する部分以外の部分に当接するように設けられる。
【００８４】
以上説明したように、本実施の形態では、第１透明ガイド部材１５２に導電部材２０４を設けると共に、第２透明ガイド部材２０２を接地部材２０９、アース線２１０、ヒンジ機構１１及び装置本体１０１Ａの不図示の導電性筐体部を介して接地させている。そして、導電部材２０４により第１透明ガイド部材１５２を、第２透明ガイド部材２０２と導通させるようにしている。これにより、画像読取装置本体１０２の筐体を樹脂材料で形成した場合でも、筐体を用いることなく第１透明ガイド部材１５２及び第２透明ガイド部材２０２を接地することができ、既述した第１の実施の形態と同様の効果を得ることができる。
【００８５】
次に、本発明の第５の実施の形態に係る画像読取装置について説明する。図１３は、本実施の形態に係る画像読取装置の構成を説明する図である。なお、図１３において、既述した図２と同一符号は、同一又は相当部分を示している。
【００８６】
本実施の形態においては、第１原稿読取手段１５１を第２原稿読取手段２０１に対して、シート搬送方向下流側に配置している。このため、本実施の形態では、既述した第１〜第４の実施の形態と異なり、原稿の裏面から表面の順に画像が読み取られる。
【００８７】
そして、第１原稿読取手段１５１が第２原稿読取手段２０１よりも搬送方向上流側に配置されている場合、第１原稿読取手段１５１の待機位置Ｐ１と流し読み位置Ｐ２までの距離が短くなる。このため、ＡＤＦ１による原稿の流し読みを行う場合、第１原稿読取手段１５１の移動距離が短くなり、ユーザが操作を行ってから流し読み動作を開始するまでの時間が短くなる。
【００８８】
なお、本実施の形態では、第１透明ガイド部材１５２のガイド面に導電性コート処理が施されており、第１透明ガイド部材１５２は、図１４に示すように、導電性を有する部材で構成された筐体１５６に直接当接して導通している。一方、第２透明ガイド部材２０２のガイド面には導電性コート処理が施されており、また第２透明ガイド部材２０２の表面には弾性を有する導電部材２０４が導電性両面テープ２０５と一体となって貼り付けられている。
【００８９】
そして、ＡＤＦ１が閉じられると、導電部材２０４が画像読取装置本体１０２の筐体１５６に当接し、第２透明ガイド部材２０２は筐体１５６と導通され、筐体１５６及び画像読取装置本体１０２を介して接地される。
【００９０】
以上説明したように、本実施の形態においては、第１原稿読取手段１５１を第２原稿読取手段２０１よりも搬送方向上流側に配置しており、これによりユーザが操作を行ってから流し読み動作を開始するまでの時間を短くすることができる。また、第２透明ガイド部材２０２に導電部材２０４を設けると共に、この導電部材２０４を画像読取装置本体１０２の筐体１５６に当接させることにより接地させている。これにより、既述した第１の実施の形態と同様の効果を得ることができる。
【符号の説明】
【００９１】
１…原稿搬送装置（シート搬送装置）、１ａ…第１原稿読取手段の画像読取領域、１ｂ…第１原稿読取手段の読取外領域、２ａ…第２原稿読取手段の画像読取領域、２ｂ…第２原稿読取手段の読取外領域、１１…ヒンジ機構、３０…画像読取装置、１０１…複写機（画像形成装置）、１０１Ａ…装置本体、１０２…画像読取装置本体、１５１…第１原稿読取手段（第１画像読取手段）、１５２…第１透明ガイド部材、１５４…導電性両面テープ、１５５…アルミシート、１５６…画像読取装置本体の筐体、１５７…接地手段、２０１…第２原稿読取手段（第２画像読取手段）、２０２…第２透明ガイド部材、２０４…導電部材（導通手段）、２０６…導電性両面テープ、２０７…アルミシート、２０７ａ…導通手段、２０８…板状部材、２０９…接地部材、２１３…圧板ガラス（載置台）、Ｄ…原稿、Ｔ…搬送通路、Ｐ…シート、Ｐ１…第１原稿読取手段の待機位置、Ｐ２…第１原稿読取手段の流し読み位置
【図１】
0006494436.tif 000002
【図２】
0006494436.tif 000003
【図３】
0006494436.tif 000004
【図４】
0006494436.tif 000005
【図５】
0006494436.tif 000006
【図６】
0006494436.tif 000007
【図７】
0006494436.tif 000008
【図８】
0006494436.tif 000009
【図９】
0006494436.tif 000010
【図１０】
0006494436.tif 000011
【図１１】
0006494436.tif 000012
【図１２】
0006494436.tif 000013
【図１３】
0006494436.tif 000014
【図１４】
0006494436.tif 000015
【図１５】
0006494436.tif 000016